(57)【要約】【課題】顧客から預かった貨幣を厳正に管理することが可能な預かり金管理装置を提供する。【解決手段】預かり金管理装置は、顧客から預かった紙幣を撮像し、紙幣画像を取得する撮像部と、撮像部で撮像された紙幣画像から紙幣に記載された少なくとも記番号情報を認識する画像認識部と、画像認識部で認識された記番号情報を記憶する記憶部と、画像認識部が認識した記番号情報が記憶部に既に記憶されているか否かを確認する確認部と、確認部が既に記憶されている記番号情報であることを確認した場合に、その旨を報知する報知部と、を備える。【選択図】図１
2017211859.tif 000002
【特許請求の範囲】
【請求項１】
顧客から預かった紙幣を撮像し、紙幣画像を取得する撮像部と、
前記撮像部で撮像された前記紙幣画像から前記紙幣に記載された少なくとも記番号情報を認識する画像認識部と、
前記画像認識部で認識された記番号情報を記憶する記憶部と、
前記画像認識部が認識した記番号情報が前記記憶部に既に記憶されているか否かを確認する確認部と、
前記確認部が既に記憶されている記番号情報であることを確認した場合に、その旨を報知する報知部と、を備える
ことを特徴とする預かり金管理装置。
【請求項２】
前記画像認識部は、前記撮像部で撮像された前記紙幣画像に基づいて、前記紙幣の金種に関する金種情報を認識し、
前記記憶部は、前記金種情報を、前記紙幣画像及び前記記番号情報と関連付けて記憶することを特徴とする請求項１に記載の預かり金管理装置。
【請求項３】
前記撮像部で撮像された前記紙幣画像を表示する表示部をさらに備えることを特徴とする請求項１又は２に記載の預かり金管理装置。
【請求項４】
前記表示部は、前記確認部が既に記憶されている記番号情報であることを確認した場合に、前記記憶部に既に記憶されている記番号情報と同一である旨を表示する
ことを特徴とする請求項３に記載の預かり金管理装置。
【請求項５】
前記撮像部は、前記紙幣を撮像した時刻を取得し、
前記記憶部は、前記撮像部により前記紙幣が撮像された時刻を、前記紙幣画像及び前記記番号情報と関連付けて記憶する
ことを特徴とする請求項３に記載の預かり金管理装置。
【請求項６】
前記紙幣画像を検索するための検索用時刻を入力するための入力部と、
前記入力部に入力された前記検索用時刻に対応する時刻に関連付けられた前記紙幣画像を、前記記憶部から検索する検索部と、をさらに備える
ことを特徴とする請求項５に記載の預かり金管理装置。
【請求項７】
前記記憶部は、前記撮像部が撮像した前記紙幣を取引により預けた前記顧客との取引の取引番号を、前記紙幣画像及び前記記番号情報と関連付けて記憶する
ことを特徴とする請求項４に記載の預かり金管理装置。
【請求項８】
前記取引番号は、ＰＯＳシステムから取得されることを特徴とする請求項７に記載の預かり金管理装置。
【請求項９】
前記紙幣画像を検索するための検索用取引番号を入力するための入力部と、
前記入力部に入力された前記検索用取引番号に対応する取引番号に関連付けられた前記紙幣画像を、前記記憶部から検索する検索部と、をさらに備える
ことを特徴とする請求項７に記載の預かり金管理装置。
【請求項１０】
前記表示部は、前記記番号情報を表示することを特徴とする請求項４に記載の預かり金管理装置。
【請求項１１】
前記撮像部は、前記顧客の顔を撮像して、前記顧客の顔画像を取得し、
前記記憶部は、前記紙幣の紙幣画像と前記顧客の顔画像を関連付けて記憶することを特徴とする請求項４に記載の預かり金管理装置。
【請求項１２】
前記表示部は、前記顧客の顔を撮像している旨を表示することを特徴とする請求項３に記載の預かり金管理装置。
【請求項１３】
前記表示部は、前記取引番号より規定される前記紙幣の金額の合計金額を表示することを特徴とする請求項７に記載の預かり金管理装置。
【請求項１４】
前記預かり金管理装置は、タブレット端末であることを特徴とする請求項１ないし１３のいずれか一項に記載の預かり金管理装置。
【請求項１５】
顧客から預かった紙幣を撮像部により撮像し、紙幣画像を取得するステップと、
前記撮像部で撮像された前記紙幣画像から前記紙幣に記載された少なくとも記番号情報を画像認識部により認識するステップと、
前記画像認識部で認識された記番号情報を記憶部により記憶するステップと、
前記画像認識部が認識した記番号情報が前記記憶部に既に記憶されているか否かを確認部により確認するステップと、
前記確認部が既に記憶されている記番号情報であることを確認した場合に、その旨を報知部により報知するステップと、を備える
ことを特徴とする預かり金管理方法。
【発明の詳細な説明】
【技術分野】
【０００１】
本発明は、百貨店、スーパーマーケット、コンビニエンスストア、レストラン、及び書店等の精算所に設けられ、顧客から預かった貨幣を管理するための預かり金管理装置、および、この預かり金管理装置を用いた預かり金管理方法に関する。
【背景技術】
【０００２】
例えば、特許文献１には、ＰＯＳ端末装置と連動した売買代金支払いシステムが開示されている。このシステムでは、顧客によって支払われた売買代金をトレイの上に載置し、撮像装置によって貨幣を撮像し、撮像した静止画像データに基づいて、紙幣や硬貨の金種と枚数を算出し、受け取り金額を算出することができるようになっている。
【０００３】
また、特許文献２に記載の貨幣入金装置は、顧客から預かった貨幣の金額を係員が入力間違いをしていないかを確認するためのものであり、トレイ上に置かれた貨幣を撮像し、その撮像画像から貨幣の金額を算出して、係員が入力した金額と算出された金額が一致しているか否かを判断するようになっている。
【０００４】
また、特許文献３には、顧客から手渡された預り金に相当する貨幣を画像として記憶し、且つ記憶画像を目視再現可能にする、商品販売データ処理装置が開示されている。
【先行技術文献】
【特許文献】
【０００５】
【特許文献１】特開２０１４−１２６９８７号公報
【特許文献２】特開２００７−２５７５０２号公報
【特許文献３】特開平１１−７３５７０号公報
【発明の概要】
【発明が解決しようとする課題】
【０００６】
既述の特許文献１ないし３に開示された従来技術では、トレイ上に置かれた貨幣の金額を撮像することによって、係員は間違いなく金額を認識し、預かり金額として入力することはできるので、係員の貨幣入金装置に対する入力間違い等は防止することはできる。
【０００７】
しかし、上記従来技術では、例えば、顧客又は係員が不正を行った場合には、貨幣の厳正管理が行えないという問題があった。
【０００８】
そこで、本発明は、上述のような問題点を解決するためになされたものであって、顧客から預かった貨幣を厳正に管理することが可能な預かり金管理装置、および、預かり金管理方法を提供することを目的とする。
【課題を解決するための手段】
【０００９】
本発明の一態様に係る実施形態に従った預かり金管理装置は、顧客から預かった紙幣を撮像し、紙幣画像を取得する撮像部と、前記撮像部で撮像された前記紙幣画像から前記紙幣に記載された少なくとも記番号情報を認識する画像認識部と、前記画像認識部で認識された記番号情報を記憶する記憶部と、前記画像認識部が認識した記番号情報が前記記憶部に既に記憶されているか否かを確認する確認部と、前記確認部が既に記憶されている記番号情報であることを確認した場合に、その旨を報知する報知部と、を備えることを特徴とする。
【００１０】
前記預かり金管理装置において、前記画像認識部は、前記撮像部で撮像された前記紙幣画像に基づいて、前記紙幣の金種に関する金種情報を認識し、前記記憶部は、前記金種情報を、前記紙幣画像及び前記記番号情報と関連付けて記憶することを特徴とする。
【００１１】
前記預かり金管理装置において、前記撮像部で撮像された前記紙幣画像を表示する表示部をさらに備えることを特徴とする。
【００１２】
前記預かり金管理装置において、前記表示部は、前記確認部が既に記憶されている記番号情報であることを確認した場合に、前記記憶部に既に記憶されている記番号情報と同一である旨を表示することを特徴とする。
【００１３】
前記預かり金管理装置において、前記撮像部は、前記紙幣を撮像した時刻を取得し、前記記憶部は、前記撮像部により前記紙幣が撮像された時刻を、前記紙幣画像及び前記記番号情報と関連付けて記憶することを特徴とする。
【００１４】
前記預かり金管理装置において、前記紙幣画像を検索するための検索用時刻を入力するための入力部と、前記入力部に入力された前記検索用時刻に対応する時刻に関連付けられた前記紙幣画像を、前記記憶部から検索する検索部と、をさらに備えることを特徴とする。
【００１５】
前記預かり金管理装置において、前記記憶部は、前記撮像部が撮像した前記紙幣を取引により預けた前記顧客との取引の取引番号を、前記紙幣画像及び前記記番号情報と関連付けて記憶することを特徴とする。
【００１６】
前記預かり金管理装置において、前記取引番号は、ＰＯＳシステムから取得されることを特徴とする。
【００１７】
前記預かり金管理装置において、前記紙幣画像を検索するための検索用取引番号を入力するための入力部と、前記入力部に入力された前記検索用取引番号に対応する取引番号に関連付けられた前記紙幣画像を、前記記憶部から検索する検索部と、をさらに備えることを特徴とする。
【００１８】
前記預かり金管理装置において、前記表示部は、前記記番号情報を表示することを特徴とする。
【００１９】
前記預かり金管理装置において、前記撮像部は、前記顧客の顔を撮像して、前記顧客の顔画像を取得し、前記記憶部は、前記紙幣の紙幣画像と前記顧客の顔画像を関連付けて記憶することを特徴とする。
【００２０】
前記預かり金管理装置において、前記表示部は、前記顧客の顔を撮像している旨を表示することを特徴とする。
【００２１】
前記預かり金管理装置において、前記表示部は、前記取引番号より規定される前記紙幣の金額の合計金額を表示することを特徴とする。
【００２２】
前記預かり金管理装置は、タブレット端末であることを特徴とする。
【００２３】
本発明の一態様に係る実施形態に従った預かり金管理方法は、顧客から預かった紙幣を撮像部により撮像し、紙幣画像を取得するステップと、前記撮像部で撮像された前記紙幣画像から前記紙幣に記載された少なくとも記番号情報を画像認識部により認識するステップと、前記画像認識部で認識された記番号情報を記憶部により記憶するステップと、前記画像認識部が認識した記番号情報が前記記憶部に既に記憶されているか否かを確認部により確認するステップと、前記確認部が既に記憶されている記番号情報であることを確認した場合に、その旨を報知部により報知するステップと、を備えることを特徴とする。
【発明の効果】
【００２４】
本発明に係る預かり金管理装置、および、預かり金管理方法によれば、顧客から預かった貨幣を厳正に管理することができる。
【図面の簡単な説明】
【００２５】
【図１】図１は、本発明の一態様である実施形態に係る預かり金管理装置１００を含むシステムの構成の一例を示す図である。
【図２】図２は、図１に示す預かり金管理装置１００の外観の一例を示す斜視図である。
【図３】図３は、図１に示す確認部１０ｂによる記番号情報の認識／照合の概念の一例を示す図である。
【図４】図４は、図１に示す預かり金管理装置１００の紙幣の認識時の動作フローの一例を示す図である。
【図５】図５は、預かり金管理装置１００の表示部Ｄの表示例を示す図である。
【図６】図６は、預かり金管理装置１００の表示部Ｄの表示例を示す図である。
【図７】図７は、預かり金管理装置１００の表示部Ｄの表示例を示す図である。
【図８】図８は、預かり金管理装置１００の表示部Ｄの表示例を示す図である。
【図９】図９は、預かり金管理装置１００の表示部Ｄの表示例を示す図である。
【図１０】図１０は、預かり金管理装置１００の表示部Ｄの表示例を示す図である。
【図１１】図１１は、預かり金管理装置１００の表示部Ｄの表示例を示す図である。
【発明を実施するための形態】
【００２６】
以下、図面を参照しつつ、本発明の実施の形態について説明する。
【第１の実施形態】
【００２７】
図１は、本発明の一態様である実施形態に係る預かり金管理装置１００を含むシステムの構成の一例を示す図である。また、図２は、図１に示す預かり金管理装置１００の外観の一例を示す斜視図である。また、図３は、図１に示す確認部１０ｂによる記番号情報の認識／照合の概念の一例を示す図である。
【００２８】
図１に示す預かり金管理装置１００は、例えば、タブレット端末である（図２）。この場合、例えば、図２に示すように、タブレット端末である預かり金管理装置１００は、その近傍に配置された紙幣Ｂを安定して撮像するために、固定台Ｘに固定される。
【００２９】
そして、この預かり金管理装置１００は、例えば、図１に示すように、撮像部Ｃと、表示部Ｄと、記憶部Ｍと、通信部Ｔと、報知部Ａと、入力部Ｉと、ＣＰＵ１０と、を備える。
【００３０】
さらに、ＣＰＵ１０は、例えば、図１に示すように、画像認識部１０ａと、確認部１０ｂと、検索部１０ｃと、制御部１０ｄと、計算部１０ｅと、を備える。
【００３１】
ここで、ＣＰＵ１０の制御部１０ｄは、画像認識部１０ａ、確認部１０ｂ、検索部１０ｃ、及び計算部１０ｅの処理を実行するとともに、撮像部Ｃ、表示部Ｄ、記憶部Ｍ、通信部Ｔ、報知部Ａ、及び入力部Ｉを制御するようになっている。
【００３２】
この制御部１０ｄは、例えば、各種の処理を実現するためのソフトウェアプログラムと、当該ソフトウェアプログラムを実行する処理部（図示せず）と、当該処理部によって制御される各種ハードウェア等によって構成されている。そして、各部の動作に必要なソフトウェアプログラムやデータの保存には、記憶部Ｍや、別途専用に設けられたＲＡＭやＲＯＭ等のメモリやハードディスク等が利用される。
【００３３】
また、預かり金管理装置１００の通信部Ｔは、外部端末（ＰＯＳシステム２００等）からの信号を受信し、預かり金管理装置１００から外部端末（ＰＯＳシステム２００等）へ信号を送信する機能を有する。
【００３４】
これにより、例えば、預かり金管理装置１００は、通信部Ｔを介して、ＰＯＳシステム２００と通信して、所定のデータを送受信するようになっている。
【００３５】
さらに、預かり金管理装置１００は、通信部Ｔによって、外部の端末からの信号を受信して、ＣＰＵ１０の動作設定を変更したり、記憶部Ｍに記憶されているソフトウェアプログラムやデータの更新、追加及び削除の処理を行ったりするようにしてもよい。
【００３６】
また、撮像部Ｃは、顧客から預かった紙幣Ｂを撮像し、紙幣画像を取得するようになっている。さらに、撮像部Ｃは、紙幣Ｂを撮像した時刻を取得するようになっている。さらに、撮像部Ｃは、顧客の顔を撮像して、顧客の顔画像を取得するようになっている。
【００３７】
この撮像部Ｃは、例えば、画像を取得するためのＲＧＢカメラと、深度を計測するための深度カメラと、を含む。
【００３８】
また、ＣＰＵ１０の画像認識部１０ａは、撮像部Ｃで撮像された紙幣画像から紙幣Ｂに記載された少なくとも記番号情報（記番号の数値や記番号を含む画像）を認識するようになっている。さらに、画像認識部１０ａは、撮像部Ｃで撮像された紙幣画像に基づいて、紙幣Ｂの金種に関する金種情報（千円、２千円、５千円、１万円等の種類）を認識するようになっている。
【００３９】
なお、この画像認識部１０ａは、画像を認識するための認識エンジンを含む。特に、画像認識部１０ａは、この認識エンジンにより、記番号ＮＸのＯＣＲ（Ｏｐｔｉｃａｌ  Ｃｈａｒａｃｔｅｒ  Ｒｅｃｏｇｎｉｔｉｏｎ）による認識をするようになっている（図３）。
【００４０】
また、記憶部Ｍは、既述のように、預かり金管理装置１００の所定の動作や処理を実行するためのプログラムや各種のデータを記憶するようになっている。この記憶部Ｍは、揮発性又は不揮発性のメモリやハードディスク等の記憶装置で構成される。
【００４１】
例えば、この記憶部Ｍは、撮像部Ｃで撮像された紙幣画像や、画像認識部１０ａで認識された記番号情報（記番号の数値データである記番号データＮＤ、記番号を含む画像データである記番号画像データＮＤＰ等）を記憶するようになっている。
【００４２】
特に、記憶部Ｍは、画像認識部１０ａで認識された金種情報を、紙幣画像及び記番号情報と関連付けて記憶するようになっている。さらに、記憶部Ｍは、撮像部Ｃにより紙幣Ｂが撮像された時刻を、紙幣画像及び記番号情報と関連付けて記憶するようになっている。
【００４３】
さらに、この記憶部Ｍには、画像認識すべき紙幣のテンプレート（紙幣の表裏両方のテンプレート画像）を予め記憶している。
【００４４】
また、記憶部Ｍは、撮像部Ｃが撮像した紙幣Ｂを取引により預けた顧客との取引の取引番号を、紙幣画像及び記番号情報と関連付けて記憶するようにしてもよい。
【００４５】
なお、預かり金管理装置１００は、この取引番号を、既述の通信部Ｔを介して、例えば、顧客との取引を処理したＰＯＳシステム２００から取得する。なお、この取引番号は、ＰＯＳシステム２００が出力するレシートにも記載されている。
【００４６】
また、記憶部Ｍは、紙幣Ｂの紙幣画像と顧客の顔画像を関連付けて記憶するようにしてもよい。
【００４７】
また、ＣＰＵ１０の確認部１０ｂは、記憶部Ｍに記憶されているデータを読み出し、画像認識部１０ａが認識した記番号情報が記憶部Ｍに既に記憶されているか否かを確認するようになっている。
【００４８】
例えば、画像認識部１０ａが認識した記番号情報が記憶部Ｍに既に記憶されている場合には、当該記番号情報が付されている紙幣Ｂは、既に撮影されているものと判断できる。一方、画像認識部１０ａが認識した記番号情報が記憶部Ｍに記憶されていない場合には、当該記番号情報が付されている紙幣Ｂは、未だ撮影されていないものと判断できる。
この確認部１０ｂの確認（判断）結果により、１バッチ内に複数回同一紙幣を撮影しているか否かが判別される。
【００４９】
ここで、確認部１０ｂは、記憶部Ｍに記憶された記番号データＮＤと、画像認識部１０ａが認識した紙幣画像に含まれる記番号ＮＸとを比較することにより、画像認識部１０ａが認識した記番号情報が記憶部Ｍに既に記憶されているか否かを確認する（図３）。
また、確認部１０ｂは、必要に応じて、記憶部Ｍに予め記憶された記番号画像データＮＤＰと、紙幣画像に含まれる記番号画像ＮＰとを比較することにより、記番号を照合するようにしてもよい（図３）。
【００５０】
また、図１に示す報知部Ａは、確認部１０ｂが既に記憶されている記番号情報であることを確認した場合に、その旨を報知するようになっている。
【００５１】
特に、この報知部Ａは、確認部１０ｂが確認した確認結果を含む所定の情報を、音声や文字情報等で出力するようになっている。
【００５２】
なお、報知部Ａは、音声を出力する場合は、例えば、スピーカーである。また、報知部Ａは、例えば、文字情報を表示して出力する場合は、液晶画面（タッチパネル）等で構成される。この場合、報知部Ａは、表示部Ｄと併用されてもよい。
【００５３】
また、図１に示すＣＰＵ１０の計算部１０ｃは、１バッチ（１回の取引で顧客から預かった紙幣の組）内の読み取られた紙幣Ｂに対して画像認識部１０ａで認識された金種情報に基づいて、１バッチ内の読み取られた紙幣Ｂの合計金額を算出するようになっている。
【００５４】
また、図１、２に示す表示部Ｄは、例えば、液晶画面（タッチパネル）等で構成され、所定の情報や画像を表示して出力するようになっている。
【００５５】
例えば、この表示部Ｄは、撮像部Ｃで撮像された紙幣画像を表示するようになっている。
【００５６】
さらに、表示部Ｄは、確認部１０ｂが既に記憶されている記番号情報であることを確認した場合に、記憶部Ｍに既に記憶されている記番号情報と同一である旨を表示するようになっている。
【００５７】
また、表示部Ｄは、例えば、撮像部Ｃが紙幣Ｂを撮像したときに、紙幣Ｂの紙幣画像を表示するようにしてもよい。
【００５８】
これにより、この表示部Ｄを見た操作者（係員）及び顧客は、取引されている紙幣Ｂが撮像されていることを確認することができる。
【００５９】
また、表示部Ｄは、画像認識部１０ａが紙幣画像から認識した紙幣Ｂの記番号情報を表示するようにしてもよい。
【００６０】
また、表示部Ｄは、ＰＯＳシステム２００から取得した取引番号を表示するようにしてもよい。この場合、表示部Ｄは、例えば、取引番号に関連付けられた複数の紙幣Ｂの紙幣画像を同時に表示するようにしてもよい。
【００６１】
これにより、この表示部Ｄを見た操作者（係員）及び顧客は、取引番号に関連付けられた複数の紙幣Ｂを確認することができる。
【００６２】
また、表示部Ｄは、既述の取引番号より規定される紙幣Ｂの金額の合計金額を表示するようにしてもよい。
【００６３】
これにより、操作者（係員）及び顧客は、取引されている紙幣Ｂの金額の合計金額を確認することができる。
【００６４】
また、表示部Ｄは、撮像部Ｃが顧客の顔を撮像している場合には、顧客の顔を撮像している旨を表示するようにしてもよい。
【００６５】
これにより、紙幣を取引している顧客に対して、当該紙幣を顧客と関連付けて厳正に管理している印象を与えることができる。
【００６６】
また、図１に示す入力部Ｉは、操作者が所定の情報を操作入力可能になっている。この入力部Ｉは、例えば、液晶画面（タッチパネル）等であり、表示部Ｄと併用される。
【００６７】
この入力部Ｉは、例えば、紙幣画像を検索するための検索用時刻を操作者により入力されるようになっている。
【００６８】
さらに、入力部Ｉは、例えば、紙幣画像を検索するための検索用取引番号を操作者により入力されるようになっている。
【００６９】
特に、入力部Ｉ（表示部Ｄ）は、表示した複数の紙幣Ｂの紙幣画像の何れかの選択を受け付け、表示部Ｄは、表示した複数の紙幣Ｂの紙幣画像のうち、選択された紙幣Ｂの紙幣画像のみを表示するようにしてもよい。
【００７０】
また、ＣＰＵ１０の検索部１０ｃは、入力部Ｉに入力された検索用時刻に対応する時刻に関連付けられた紙幣画像を、記憶部Ｍから検索するようになっている。
【００７１】
さらに、この検索部１０ｃは、入力部Ｉに入力された検索用取引番号に対応する取引番号に関連付けられた紙幣画像を、記憶部Ｍから検索するようになっている。
【００７２】
次に、以上のような構成及び機能を有する預かり金管理装置１００の動作の例について、説明する。
【００７３】
ここで、図４は、図１に示す預かり金管理装置１００の紙幣の認識時の動作フローの一例を示す図である。また、図５は、預かり金管理装置１００の表示部Ｄの表示例を示す図である。なお、図５の例では、報知部Ａ及び入力部Ｉが、表示部Ｄに併用されている構成を示している。
【００７４】
先ず、図４に示すように、操作者（係員）が顧客から預かった１枚の紙幣Ｂ（１バッチ（１回の取引で顧客から預かった紙幣の組）内の１枚の紙幣Ｂ）を預かり金管理装置１００の近傍に差し込む（配置する）。これにより、預かり金管理装置１００の撮像部Ｃにより紙幣Ｂが撮像可能な領域に配置される（ステップＳ１）。
【００７５】
次に、預かり金管理装置１００のＣＰＵ１０の制御部１０ｄは、撮像部Ｃにより、上記領域に配置された顧客から預かった紙幣Ｂを１枚撮像し、紙幣画像を含む撮像画像を取得する。そして、画像認識部１０ａは、撮像部Ｃで撮像された紙幣画像を認識する（ステップＳ２）。
【００７６】
なお、画像認識部１０ａは、記憶部Ｍに予め記憶された紙幣のテンプレートを読み出し、このテンプレートとのマッチングにより、撮像画像から紙幣画像を認識する。
【００７７】
このとき、画像認識部１０ａは、撮像部Ｃで撮像された紙幣画像に基づいて、紙幣Ｂの金種に関する金種情報も認識する。そして、記憶部Ｍは、画像認識部１０ａで認識された金種情報を、紙幣画像と関連付けて記憶する。
【００７８】
これにより、ＰＯＳシステム２００への金額入力前に自動的に金種の判定を実行することができる。
【００７９】
また、表示部Ｄは、撮像部Ｃが紙幣Ｂを撮像したときに、この紙幣Ｂの紙幣画像を表示する。
【００８０】
これにより、操作者（係員）及び顧客は、取引されている紙幣Ｂが撮像されていることを確認することができる。
【００８１】
さらに、このとき、撮像部Ｃは、顧客の顔を撮像して、顧客の顔画像を取得するようにしてもよい。そして、表示部Ｄは、顧客の顔を撮像している旨を表示するようにしてもよい。
【００８２】
これにより、紙幣を取引している顧客に対して、当該紙幣を顧客と関連付けて厳正に管理している印象を与えることができる。
【００８３】
次に、制御部１０ｄは、画像認識部１０ａにより紙幣画像を認識できたか否かを判断する      （ステップＳ３）。そして、制御部１０ｄにより紙幣画像が認識できないと判断された場合には、ステップＳ１に戻り、次の紙幣Ｂが操作者により差し込まれると、以降同様のステップが実行されることになる。
【００８４】
なお、この紙幣画像が認識できない場合には、紙幣画像が、不明確な場合や、紙幣画像が、記番号が記載されていない紙幣裏面の画像である場合も含まれる。
【００８５】
また、撮像された紙幣画像が記番号の記載されていない紙幣裏面の画像である場合、上記ステップＳ１に戻るときに、後述の記番号の認識のために、当該紙幣Ｂを再セット要求する旨を、表示部Ｄに表示させ又は報知部Ａから報知させるようにしてもよい。    
そして、このステップＳ３において、制御部１０ｄにより紙幣画像が認識できると判断された場合には、記憶部Ｍは、画像認識部１０ａで認識された紙幣画像を含む撮像画像を記憶する（ステップＳ４）。
【００８６】
なお、このとき、記憶部Ｍは、紙幣Ｂの紙幣画像と撮像した顧客の顔画像を関連付けて記憶するようにしてもよい。
【００８７】
次に、ＣＰＵ１０の画像認識部１０ａは、撮像部Ｃで撮像された紙幣画像から紙幣Ｂに記載された少なくとも記番号情報を認識する（ステップＳ５）。
【００８８】
なお、記番号の認識において、画像認識部１０ａが認識できない場合は、記番号部分を表示部Ｄに大きく表示し、操作者による入力部Ｉへの数値入力を促すようにしてもよい。そして、この数値入力に基づいて、画像認識部１０ａは、紙幣Ｂに記載された少なくとも記番号情報を認識するようにしてもよい。
【００８９】
また、記番号の認識は文字が潰れている場合に、誤認する可能性が高くなるため、記番号の認識と照合と併用してもよい。
【００９０】
また、記憶部Ｍは、撮像部Ｃが撮像した紙幣Ｂを取引により預けた顧客との取引の取引番号を、紙幣画像及び記番号情報と関連付けて記憶するようにしてもよい。
【００９１】
なお、預かり金管理装置１００は、この取引番号を、通信部Ｔを介して、例えば、顧客との取引を処理したＰＯＳシステム２００から取得する。
【００９２】
次に、ＣＰＵ１０の確認部１０ｂは、画像認識部１０ａが認識した記番号情報が記憶部Ｍに既に記憶されているか否かを確認する（ステップＳ６）。
【００９３】
既述のように、画像認識部１０ａが認識した記番号情報が記憶部Ｍに既に記憶されている場合には、当該記番号情報が付されている紙幣Ｂは、既に撮影されているものと判断できる。一方、画像認識部１０ａが認識した記番号情報が記憶部Ｍに記憶されていない場合には、当該記番号情報が付されている紙幣Ｂは、未だ撮影されていないものと判断できる。      
この確認結果により、１回の取引における１バッチ内に複数回同一紙幣を撮影しているか否かが判別される。
【００９４】
上記ステップＳ６において、預かり金管理装置１００の報知部Ａは、ＣＰＵ１０の確認部１０ｂが既に記憶されている記番号情報であることを確認した場合に、その旨を報知（エラー表示）する（ステップＳ７）。
【００９５】
さらに、表示部Ｄは、確認部１０ｂが既に記憶されている記番号情報であることを確認した場合に、記憶部Ｍに既に記憶されている記番号情報と同一である旨を表示（ここでは報知部Ａの報知と併用している）するようにしてもよい（図５のメッセージＵ）。
【００９６】
これにより、操作者は、当該記番号情報が付されている紙幣Ｂは、既に撮影されているものと判断でき、同一紙幣の複数回読取りが防止される。
【００９７】
なお、この図５の例では、表示部Ｄに、現在撮像されている紙幣Ｂの紙幣画像や、認識した紙幣の認識履歴Ｗや合計金額Ｖが表示されるとともに、動作を完了させるための「完了」ボタンＩ１及び紙幣画像等を検索するための「閲覧」ボタンＩ２が入力部Ｉとして表示されている。
【００９８】
このステップＳ７の後、ステップＳ１に戻り、次の紙幣Ｂが操作者により差し込まれると、以降同様のステップが実行されることになる。
【００９９】
一方、既述のステップＳ６において、ＣＰＵ１０の確認部１０ｂが既に記憶されている記番号情報ではないことを確認した場合に、記憶部Ｍは、画像認識部１０ａで認識された記番号情報（記番号の画像を含む）を記憶する（ステップＳ８）。特に、記憶部Ｍは、画像認識部１０ａで認識された金種情報と、紙幣画像及び記番号情報と関連付けて記憶する。
【０１００】
このとき、記憶部Ｍは、撮像部Ｃにより紙幣Ｂが撮像された時刻を、紙幣画像及び記番号情報と関連付けて記憶するようにしてもよい。
【０１０１】
これにより、当該時刻の情報に基づいて、記憶部Ｍに記憶された紙幣画像及び記番号情報を検索することが可能となる。
【０１０２】
次に、ＣＰＵの計算部１０ｅは、１バッチ内の読み取られた紙幣Ｂに対して画像認識部１０ａで認識された金種情報に基づいて、１バッチ内の読み取られた紙幣Ｂの合計金額を算出する（ステップＳ９）。
【０１０３】
この場合、表示部Ｄは、既述の取引番号より規定される紙幣Ｂの金額の合計金額Ｖを表示するようにしてもよい（図５）。
【０１０４】
次に、操作者（係員）は、撮像部Ｃにより撮像した紙幣Ｂを預かり金管理装置１００の近傍から抜き取る（ステップＳ１０）。この抜き取られた紙幣Ｂは、例えば、ＰＯＳシステム２００の収納部に収納される。
【０１０５】
次に、制御部１０ｄは、当該紙幣Ｂの読み取りを終了（取引の１バッチの預かり紙幣の計数、記録が全て終了）しているか否かを判断する（ステップＳ１１）。
【０１０６】
そして、制御部１０ｄは、当該紙幣Ｂの読み取りを終了していないと判断した場合には、ステップＳ１に戻り、次の紙幣Ｂが操作者により差し込まれると、以降同様のステップが実行されることになる。
【０１０７】
一方、ステップＳ１１において、制御部１０ｄが当該紙幣Ｂの読み取りを終了していると判断した場合には、操作者（係員）により、入力部Ｉの「完了」ボタン（図５）が押下（操作）されると、預かり金の取引の管理動作を終了する（ステップＳ１２）。
【０１０８】
なお、操作者による入力部Ｉの「完了」ボタンＩ１の押下後に、預かり金管理装置１００とＰＯＳシステム２００と接続して、この「完了」ボタンＩ１の押下に応じて、上記管理動作で取得された情報をＰＯＳシステム２００に転送するようにしてもよい。
【０１０９】
また、操作者による「完了」ボタンＩ１の押下後に、自動的に紙幣を収納ボックス（図示せず）に収納するようにすれば、さらなる紙幣の厳正管理も可能である。 
次に、預かり金管理装置１００の記憶部Ｍに記憶された紙幣画像を検索する具体例について説明する。                    
ここで、図６ないし図１１は、預かり金管理装置１００の表示部Ｄの表示例を示す図である。なお、図６ないし図１１の例では、報知部Ａ及び入力部Ｉが、表示部Ｄに併用されている構成を示している。
【０１１０】
例えば、既述の図５に示す表示部Ｄの表示状態から、図６に示すように操作者Ｚにより、入力部Ｉの「閲覧」ボタンＩ２が押下（操作）されると、表示部Ｄは、例えば、「１２０５７」の取引番号Ｇに関連付けられた複数の紙幣Ｂの紙幣画像を同時に表示する（図７）。
【０１１１】
このように、例えば、顧客の要求に応じて、１つの取引の１バッチ中の紙幣画像を同時に閲覧することができる。
【０１１２】
さらに、図７の例では、表示部Ｄに表示された入力部Ｉ（紙幣画像の領域）は、操作者Ｚの操作により、表示した複数の紙幣Ｂの紙幣画像の何れかの選択を受け付ける。この操作に応じて、表示部Ｄは、表示した複数の紙幣Ｂの紙幣画像（図７）のうち、選択された紙幣Ｂの紙幣画像のみを表示する（図８）。
【０１１３】
また、取引番号から紙幣画像を検索する場合には、例えば、図９に示すように、入力部Ｉの検索用取引番号入力欄Ｉ３に紙幣画像を検索するための検索用取引番号「１２０５７」が操作者Ｚにより入力され且つ「表示」ボタンＩ４が操作される。この操作に応じて、検索部１０ｃは、入力部Ｉに入力された検索用取引番号「１２０５７」に対応する取引番号「１２０５７」に関連付けられた紙幣画像を、記憶部Ｍから検索する。
【０１１４】
そして、表示部Ｄは、記憶部Ｍから検索された、取引番号「１２０５７」に関連付けられた複数の紙幣Ｂの紙幣画像を同時に表示する（図７）。
【０１１５】
また、取引の時刻、すなわち、紙幣Ｂが撮像された時刻から紙幣画像を検索する場合には、例えば、図１０に示すように、入力部Ｉの日時入力欄Ｉ５、Ｉ６に紙幣画像を検索するための検索用時刻「２０１５／８／１０」、「０９：００〜１０：００」が操作者により入力される。
【０１１６】
この操作に応じて、検索部１０ｃは、入力部Ｉに入力された検索用時刻「２０１５／８／１０」、「０９：００〜１０：００」に対応する時刻に関連付けられた紙幣画像を、記憶部Ｍから検索し、表示部Ｄはこの検索された検索結果のファイルを表示するファイル欄Ｉ８を表示する（図１１）。
【０１１７】
そして、図１１に示すように、操作者Ｚにより、入力部ＩのファイルＩ８の検索結果の１つ（時刻「２０１５／８／１０」、「０９：００〜０９：０２」）を選択する操作がされ、且つ「表示」ボタンＩ４が操作される。この操作に応じて、検索部１０ｃは、入力部Ｉに入力（入力部Ｉで選択）された時刻「２０１５／８／１０」、「０９：００〜０９：０２」に関連付けられた紙幣画像を、記憶部Ｍから検索する。
【０１１８】
そして、表示部Ｄは、記憶部Ｍから検索された、時刻「２０１５／８／１０」、「０９：００〜０９：０２」に関連付けられた複数の紙幣Ｂの紙幣画像を同時に表示する（図７）。
【０１１９】
これらの図６ないし図１１の例に示すように、顧客の要求や管理者の確認など、任意のタイミングで記憶部Ｍに保存された紙幣画像を適時に閲覧することができ、顧客から預かった貨幣を適切に管理することができる。
【０１２０】
以上のように、本実施の形態に係る預かり金管理装置、および、預かり金管理方法によれば、顧客から預かった貨幣を厳正に管理することができる。
【０１２１】
特に、既述のように、保管している現物紙幣と紙幣画像の紐付けに加えて、店員ＩＤと紙幣画像の紐付け、時刻情報との紐付け、不正な現金（偽造等）画像と監視カメラ映像に映っている人物との紐付け等を設定することにより、より厳正に預かり金を管理することができる。
【０１２２】
そして、既述のように、本実施形態に係る預かり金管理装置は、ＰＯＳシステムに接続する装置ではなく、本預かり金管理装置自体にＰＯＳシステムの機能を備えさせて、タブレット型のＰＯＳシステムとしてもよい。
【０１２３】
また、既述のように、本実施形態に係る預かり金管理装置をタブレット端末で構成することにより、低コスト、省スペースの紙幣計数および記録、検索システムの実現が可能となる。
【０１２４】
また、本実施形態に係る預かり金管理装置は、つり銭機と接続すれば、本装置の機能に加えて、硬貨の識別、収納も可能となる。
【０１２５】
本実施形態に係る預かり金管理装置において、記番号認識（管理）が不要な場合、記番号照合を行ってもよい。または認識と照合を併用して判別してもよい。
【０１２６】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１２７】
１００  預かり金管理装置
Ｃ  撮像部
Ｄ  表示部
Ｍ  記憶部
Ｔ  通信部
Ａ  報知部
Ｉ  入力部
１０  ＣＰＵ
１０ａ  画像認識部
１０ｂ  確認部
１０ｃ  検索部
１０ｄ  制御部
１０ｅ  計算部
【図１】
2017211859.tif 000003
【図２】
2017211859.tif 000004
【図３】
2017211859.tif 000005
【図４】
2017211859.tif 000006
【図５】
2017211859.tif 000007
【図６】
2017211859.tif 000008
【図７】
2017211859.tif 000009
【図８】
2017211859.tif 000010
【図９】
2017211859.tif 000011
【図１０】
2017211859.tif 000012
【図１１】
2017211859.tif 000013